【手続補正書】
【提出日】平成20年3月7日(2008.3.7)
【手続補正１】
【補正対象書類名】明細書
【補正対象項目名】発明の名称
【補正方法】変更
【補正の内容】
【発明の名称】代行処理管理システム、代行処理管理装置、制御方法及び記憶媒体
【手続補正２】
【補正対象書類名】明細書
【補正対象項目名】特許請求の範囲
【補正方法】変更
【補正の内容】
【特許請求の範囲】
【請求項１】  代行処理管理システムであって、
前記複数のジョブ処理装置のうちの第１のジョブ処理装置が備える保存手段にデータを保存させる手段と、
前記第１のジョブ処理装置の状態が、前記データの保存を他のジョブ処理装置に代行させるための代行条件を満たすか否かを判断する判断手段と、
前記判断手段により、前記代行条件を満たすと判断された場合に、前記第１のジョブ処理装置と同一のセキュリティＩＤを用いて認証を行う他のジョブ処理装置を前記複数のジョブ処理装置の中から探索する代行先探索手段と、
前記代行先探索手段によって検索された他のジョブ処理装置が備える保存手段に前記データを保存させる手段と、
を有することを特徴とする代行処理管理システム。
【請求項２】  前記代行条件は、前記第１のジョブ処理装置の状態がエラーであること又は大量の印刷処理中であること否かの何れかであることを特徴とする請求項１記載の代行処理管理システム。
【請求項３】  前記複数のジョブ処理装置は、印刷手段を有し、
前記データは、印刷データであることを特徴とする請求項１又は２記載の代行処理管理システム。
【請求項４】  前記代行先探索手段によって探索された複数の他のジョブ処理装置を表示する表示手段と、
前記表示手段によって表示された複数の他のジョブ処理装置の中から、何れかの他のジョブ処理装置を選択する選択手段とを有することを特徴とする請求項１乃至３の何れかに記載の代行処理管理システム。
【請求項５】  前記代行条件をユーザの操作に応じて予め設定する設定手段を更に有することを特徴とする請求項１乃至４の何れかに記載の代行処理管理システム。
【請求項６】  複数のジョブ処理装置と通信可能な代行処理管理装置であって、
前記複数のジョブ処理装置のうちの第１のジョブ処理装置が備える保存手段にデータを保存させる手段と、
前記第１のジョブ処理装置の状態が、前記データの保存を他のジョブ処理装置に代行させるための代行条件を満たすか否かを判断する判断手段と、
前記判断手段により、前記代行条件を満たすと判断された場合に、前記第１のジョブ処理装置と同一のセキュリティＩＤを用いて認証を行う他のジョブ処理装置を前記複数のジョブ処理装置の中から探索する代行先探索手段と、
前記代行先探索手段によって検索された他のジョブ処理装置が備える保存手段に前記データを保存させる手段と、
を有することを特徴とする代行処理管理装置。
【請求項７】  前記代行条件は、前記第１のジョブ処理装置の状態がエラーであること又は大量の印刷処理中であること否かの何れかであることを特徴とする請求項６記載の代行処理管理装置。
【請求項８】  前記複数のジョブ処理装置は、印刷手段を有し、
前記データは、印刷データであることを特徴とする請求項６又は７記載の代行処理管理装置。
【請求項９】  前記代行先探索手段によって探索された複数の他のジョブ処理装置を表示する表示手段と、
前記表示手段によって表示された複数の他のジョブ処理装置の中から、何れかの他のジョブ処理装置を選択する選択手段とを有することを特徴とする請求項６乃至８の何れかに記載の代行処理管理装置。
【請求項１０】  前記代行条件をユーザの操作に応じて予め設定する設定手段を更に有することを特徴とする請求項６乃至９の何れかに記載の代行処理管理装置。
【請求項１１】  複数のジョブ処理装置と通信可能な代行処理管理装置の制御方法であって、
前記複数のジョブ処理装置のうちの第１のジョブ処理装置が備える保存手段にデータを保存させる工程と、
前記第１のジョブ処理装置の状態が、前記データの保存を他のジョブ処理装置に代行させるための代行条件を満たすか否かを判断する判断工程と、
前記判断工程により、前記代行条件を満たすと判断された場合に、前記第１のジョブ処理装置と同一のセキュリティＩＤを用いて認証を行う他のジョブ処理装置を前記複数のジョブ処理装置の中から探索する代行先探索工程と、
前記代行先探索工程によって検索された他のジョブ処理装置が備える保存手段に前記データを保存させる工程と、
を有することを特徴とする制御方法。
【請求項１２】  請求項１１記載の代行処理管理装置の制御方法を実行するプログラムを格納したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、代行処理管理システム、代行処理管理装置、制御方法及び記憶媒体に関し、特に、通信媒体を介して接続されたコンピュ−タと入出力装置との間で制御言語を使用し双方向通信を行う代行処理管理システム、代行処理管理装置、制御方法及び記憶媒体に関する。
【手続補正４】
【補正対象書類名】明細書
【補正対象項目名】０００４
【補正方法】変更
【補正の内容】
【０００４】
本発明は、上述した点に鑑みなされたものであり、データ保存機能が無い機器に印刷を代行させることで、誤って印刷されたり、展開ファクシミリ送受信機能が無い機器にファクシミリ送信を代行させることで、誤って印刷されて相手に送信されなかったりするといった現象を未然に防止することを可能とした代行処理管理システム、代行処理管理装置、制御方法及び記憶媒体を提供することを目的とする。
【手続補正５】
【補正対象書類名】明細書
【補正対象項目名】０００５
【補正方法】変更
【補正の内容】
【０００５】
【課題を解決するための手段】
上記目的を達成するため、本発明は、代行処理管理システムであって、前記複数のジョブ処理装置のうちの第１のジョブ処理装置が備える保存手段にデータを保存させる手段と、前記第１のジョブ処理装置の状態が、前記データの保存を他のジョブ処理装置に代行させるための代行条件を満たすか否かを判断する判断手段と、前記判断手段により、前記代行条件を満たすと判断された場合に、前記第１のジョブ処理装置と同一のセキュリティＩＤを用いて認証を行う他のジョブ処理装置を前記複数のジョブ処理装置の中から探索する代行先探索手段と、前記代行先探索手段によって検索された他のジョブ処理装置が備える保存手段に前記データを保存させる手段と、を有することを特徴とする。
【手続補正６】
【補正対象書類名】明細書
【補正対象項目名】０００６
【補正方法】変更
【補正の内容】
【０００６】
上記目的を達成するため、本発明は、複数のジョブ処理装置と通信可能な代行処理管理装置であって、前記複数のジョブ処理装置のうちの第１のジョブ処理装置が備える保存手段にデータを保存させる手段と、前記第１のジョブ処理装置の状態が、前記データの保存を他のジョブ処理装置に代行させるための代行条件を満たすか否かを判断する判断手段と、前記判断手段により、前記代行条件を満たすと判断された場合に、前記第１のジョブ処理装置と同一のセキュリティＩＤを用いて認証を行う他のジョブ処理装置を前記複数のジョブ処理装置の中から探索する代行先探索手段と、前記代行先探索手段によって検索された他のジョブ処理装置が備える保存手段に前記データを保存させる手段と、を有することを特徴とする。
【手続補正７】
【補正対象書類名】明細書
【補正対象項目名】０００７
【補正方法】変更
【補正の内容】
【０００７】
上記目的を達成するため、本発明は、複数のジョブ処理装置と通信可能な代行処理管理装置の制御方法であって、前記複数のジョブ処理装置のうちの第１のジョブ処理装置が備える保存手段にデータを保存させる工程と、前記第１のジョブ処理装置の状態が、前記データの保存を他のジョブ処理装置に代行させるための代行条件を満たすか否かを判断する判断工程と、前記判断工程により、前記代行条件を満たすと判断された場合に、前記第１のジョブ処理装置と同一のセキュリティＩＤを用いて認証を行う他のジョブ処理装置を前記複数のジョブ処理装置の中から探索する代行先探索工程と、前記代行先探索工程によって検索された他のジョブ処理装置が備える保存手段に前記データを保存させる工程と、を有することを特徴とする。
【手続補正８】
【補正対象書類名】明細書
【補正対象項目名】０００８
【補正方法】変更
【補正の内容】
【０００８】
上記目的を達成するため、本発明は、代行処理管理装置の制御方法を実行するプログラムを格納したコンピュータ読み取り可能な記憶媒体であることを特徴とする。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】削除
【補正の内容】
【手続補正３７】
【補正対象書類名】明細書
【補正対象項目名】００３７
【補正方法】削除
【補正の内容】
【手続補正３８】
【補正対象書類名】明細書
【補正対象項目名】００３８
【補正方法】削除
【補正の内容】
【手続補正３９】
【補正対象書類名】明細書
【補正対象項目名】００３９
【補正方法】削除
【補正の内容】
【手続補正４０】
【補正対象書類名】明細書
【補正対象項目名】００４０
【補正方法】削除
【補正の内容】
【手続補正４１】
【補正対象書類名】明細書
【補正対象項目名】００４１
【補正方法】削除
【補正の内容】
【手続補正４２】
【補正対象書類名】明細書
【補正対象項目名】００４２
【補正方法】削除
【補正の内容】
【手続補正４３】
【補正対象書類名】明細書
【補正対象項目名】００４３
【補正方法】削除
【補正の内容】
【手続補正４４】
【補正対象書類名】明細書
【補正対象項目名】００５４
【補正方法】変更
【補正の内容】
【００５４】
入出力装置２０１〜２０５は、目的とする永久可視像を記録紙に形成する印字部（印刷手段）、入出力装置全体の制御を行うと共に、ジョブの属性情報を判断する制御部、ホストコンピュ−タ１との間で送受信処理を行うと共に、ホストコンピュータ１からの問い合わせに基づき、自装置が有する機能がどのような機能（印刷機能か展開ファクシミリ送受信機能かなど）かを示す機能情報、自装置にオプション装置（例えば排紙後処理装置など）を装着しているか否かを示すオプション装着情報をホストコンピュータ１に通知する送受信処理部、ホストコンピュ−タ１との間の送受信で使用する制御言語を変換解析する制御言語部などを備えている。
【手続補正４５】
【補正対象書類名】明細書
【補正対象項目名】００８６
【補正方法】削除
【補正の内容】
【手続補正４６】
【補正対象書類名】明細書
【補正対象項目名】００８７
【補正方法】変更
【補正の内容】
【００８７】
【発明の効果】
以上説明したように、本発明によれば、ユーザが面倒な手順を意識すること無く、ジョブの種別により代行処理の有効／無効を自動的に処理することが可能となり、その結果、データ保存機能が無いジョブ処理装置に印刷を代行させることで、誤って印刷されたり、展開ファクシミリ送受信機能が無いジョブ処理装置にファクシミリ送信を代行させることで、誤って印刷されて相手に送信されなかったりする、といった現象を未然に防止することが可能となる代行処理管理システムを提供することができる。
【手続補正４７】
【補正対象書類名】明細書
【補正対象項目名】００８８
【補正方法】削除
【補正の内容】
【手続補正４８】
【補正対象書類名】明細書
【補正対象項目名】符号の説明
【補正方法】変更
【補正の内容】
【符号の説明】
１  ホストコンピュータ（代行処理管理装置）
２  ＬＡＮ
３  公衆網
１０１  ＣＰＵ
１０５  印刷ジョブ作成部
１０６  機器制御部
１０７  機器状態表示部（表示手段）
１０８  制御言語モニタ部
１０９  機器探索部（代行先探索手段）
１１０  送受信処理部
１１０ａ  出力管理部
２０１〜２０５  入出力装置（ジョブ処理装置）